(57)【要約】【課題】複数の物品にそれぞれ添付された無線データキャリアに書込まれた物品管理用コードを取得するまでに要する時間を短縮する。【解決手段】無線通信領域内にある全ての無線データキャリアに対して保持データの一斉読取を指令する。そして、この読取指令に応答して無線データキャリアから発信されるデータを受信すると、その受信データがまだ受信していない新規のデータか否かを判断し、新規のデータと判断されたデータを物品の管理用コードとして取得する。【選択図】    図７
2004280707.tif 000002
【特許請求の範囲】
【請求項１】
固有の無線ＩＤを有する無線データキャリアとの無線通信により、当該無線データキャリアが添付された物品の管理用コードを取得する物品管理用コード取得装置において、
無線通信領域内にある全ての無線データキャリアに対して保持データの一斉読取を指令する読取指令手段と、
前記読取指令に応答して前記無線データキャリアから発信されるデータを受信するデータ受信手段と、
このデータ受信手段により受信したデータがまだ受信していない新規のデータか否かを判断するデータ判断手段と、
このデータ判断手段により新規のデータと判断されたデータを前記物品の管理用コードとして取得するコード取得手段とを具備したことを特徴とする物品管理用コード取得装置。
【請求項２】
固有の無線ＩＤを有する無線データキャリアとの無線通信により、当該無線データキャリアが添付された物品の管理用コードを取得する物品管理用コード取得方法において、
無線通信領域内にある全ての無線データキャリアに対して保持データの一斉読取を指令するステップと、
前記読取指令に応答して前記無線データキャリアから発信されるデータを受信するステップと、
このデータ受信手段により受信したデータがまだ受信していない新規のデータか否かを判断するステップと、
このデータ判断手段により新規のデータと判断されたデータを前記物品の管理用コードとして取得するステップとを有することを特徴とする物品管理用コード取得方法。
【請求項３】
無線ＩＤエリアとユーザエリアとからなるメモリとデータ通信手段とを有し、前記メモリの無線ＩＤエリアには固有の無線ＩＤを記憶し、ユーザエリアには自己が添付される物品の管理用コードを記憶してなる無線データキャリアにおいて、
前記データ通信手段により無線ＩＤを指定しない無線ＩＤ問合せコマンドを受信すると、前記メモリの無線ＩＤエリアに格納されている無線ＩＤを前記データ通信手段を介して無線送信し、
前記データ通信手段により無線ＩＤを指定しないユーザエリア問合せコマンドを受信すると、前記メモリのユーザエリアに書込まれている管理用データを前記データ通信手段を介して無線送信することを特徴とする無線データキャリア。
【発明の詳細な説明】
【０００１】
【発明の属する技術分野】
本発明は、書留郵便や小包郵便等の記録扱い郵便物のように個々に異なる管理用コードが設定される物品に固有の無線ＩＤ（ＲＦＩＤ）を有する無線データキャリアを添付し、この無線データキャリアとの無線通信によって当該キャリアが添付された物品の管理用コードを取得する物品管理用コード取得装置及びその方法と、この物品管理用コード取得技術に供する無線タグ，無線カード等の無線データキャリアに関する。
【０００２】
【従来の技術】
従来より、書留郵便や小包郵便等の記録扱い郵便物にそれぞれ固有の無線ＩＤ（ＲＦＩＤ）を有する無線データキャリアを貼付し、この無線データキャリアに当該キャリアが貼付された記録扱い郵便物に対して設定された追跡管理用コードを書込んで記憶させるとともに、郵便物の引受から配達までの各段階に無線データキャリアとの通信装置をそれぞれ設置し、各段階において、それぞれ通信装置を介して記録扱い郵便物に貼付された無線データキャリアから追跡管理用コードを取得し、情報センターに通知することによって、記録扱い郵便物の一元的な記録管理と迅速な追跡を可能とする技術は知られている（例えば、特許文献１参照）。
【０００３】
ところで、無線データキャリアとの通信装置は、一定の無線通信領域をカバーするアンテナを有しており、この無線通信領域内にある複数の無線データキャリアとほぼ同時に通信できるようになっている。すなわち通信装置は、アンテナを介して無線通信領域内に無線ＩＤの問合せコマンドを送信する。このコマンドは、ＩＤ指定が無く、無線通信領域内にある全ての無線データキャリアが受信可能である。そして、問合せコマンドを受信した無線データキャリアは、自己の無線ＩＤを付加したＡＣＫ応答を返す。そこで通信装置は、いずれかの無線データキャリアからＡＣＫ応答を受信する毎に、その応答に付加された無線ＩＤが新規に受信したものか否かを判断し、新規であればその無線ＩＤを指定してデータ要求コマンドを送信する。このデータ要求コマンドは、指定されたＩＤを有する無線データキャリアによって受信される。そして、データ要求コマンドを受信した無線データキャリアは、メモリに書込まれている情報を送信する。そこで通信装置は、無線データキャリアから受信した情報を取込み処理する（例えば、特許文献２参照）。
【０００４】
【特許文献１】
特開平１１−１７５６２１号公報
【０００５】
【特許文献２】
特開平１１−３４０７号公報
【０００６】
【発明が解決しようとする課題】
上記のように、通信装置の無線通信領域内にある全ての無線データキャリアに書込まれている情報を取得する際に、従来は、無線データキャリアから無線ＩＤを取得して無線データキャリアを識別した後、その識別した無線データキャリアに個別にアクセスして前記情報を取得していた。これは、前記情報は必ずしも一意のものではなく、無線ＩＤを取得しないと無線データキャリアを個々に識別できないためである。
【０００７】
換言すれば、前記情報が記録扱い郵便物に設定される追跡管理用コードのように一意の物品管理用コードである場合には、無線ＩＤを取得しなくてもこの情報から無線データキャリアを個々に識別できる。それにも係らず従来は、無線ＩＤを取得して無線データキャリアを識別した後、個別に無線データキャリアにアクセスして前記情報を読取っていたので、通信領域内にある全ての無線データキャリアに書込まれた情報を取得し終わるまでに処理時間を要しており、この時間は、通信領域内にある無線データキャリアの数が多ければ多いほど長くなるという問題があった。
【０００８】
本発明はこのような事情に基づいてなされたものであり、その目的とするところは、複数の物品にそれぞれ添付された無線データキャリアに書込まれた物品管理用コードを短時間で取得できる物品管理用コード取得装置及びその方法と、この物品管理用コード取得技術に供する無線データキャリアとを提供しようとするものである。
【０００９】
【課題を解決するための手段】
本発明は、固有の無線ＩＤを有する無線データキャリアとの無線通信により、当該無線データキャリアが添付された物品、例えば記録扱い郵便物等の管理用コードを取得するものである。このものにおいて、無線通信領域内にある全ての無線データキャリアに対して保持データの一斉読取を指令する読取指令手段を設ける。そして、この読取指令に応答して無線データキャリアから発信されるデータを受信すると、その受信データがまだ受信していない新規のデータか否かを判断し、新規のデータと判断されたデータを物品の管理用コードとして取得するものである。
【００１０】
【発明の実施の形態】
以下、本発明の実施の形態を図面を用いて説明する。
なお、この実施の形態は、記録扱い郵便物の１種である書留郵便物にそれぞれ一意に設定される物品管理用コードを、当該郵便物に添付された無線データキャリアとの無線通信により取得する場合であり、物品管理用コードを郵便物引受時に発番される引受番号とし、無線データキャリアを郵便物に貼付け可能な無線タグとする。
【００１１】
図１は本実施の形態である書留郵便物管理システムの全体構成を示す模式図である。このシステムは、差出人から書留郵便物６を引き受ける引受局１のシステムと、書留郵便物６を中継する中継局２及び配達する配達局３のシステムと、書留郵便物６の追跡記録を管理する情報センタ４のシステムとからなる。なお、引受局１，中継局２及び配達局３は便宜上分けたものであり、１つの郵便局が引受局１にもなり得、中継局２にもなり得、配達局３にもなり得るものである。
【００１２】
各局１，２，３には、それぞれ局内サーバ１１，２１，３１として機能するコンピュータを設置している。また情報センタ４には、その中枢を担う管理用コンピュータ４１を設置している。そして、各局内サーバ１１，２１，３１と管理用コンピュータ４１とを、ネットワーク５を介して相互通信自在に接続している。
【００１３】
引受局１には、窓口端末１２とＩＣカードリーダ・ライタ１３とを設置している。そして、窓口端末１２とＩＣカードリーダ・ライタ１３とを、それぞれ前記局内サーバ１１に通信回線を介して接続している。
【００１４】
図２は前記窓口端末１２の要部構成を示すブロック図である。この窓口端末１２は、引受局１の書留郵便引受窓口近傍に置かれるものであり、無線タグリーダ・ライタ１２１、メモリ１２２，時計部１２３，通信部１２４，操作・表示部１２５，ラベルプリンタ１２６及びこれらを制御するコントローラ１２７を備えている。
【００１５】
無線タグリーダ・ライタ１２１は、アンテナＡＮＴの無線通信領域内にある無線タグ７に対してデータの書込みや読取りを行なうものであり、その要部構成を図３に示す。すなわち無線タグリーダ・ライタ１２１は、コントローラ１２７とのインタフェース部１２１１、ＣＰＵ，ＲＯＭ，ＲＡＭ等で構成される制御部１２１２、無線タグ７への書込みデータを変調する変調部１２１３、変調電波を増幅してアンテナＡＮＴから放射させる送信アンプ１２１４、アンテナＡＮＴで受信した電波を増幅する受信アンプ１２１５及び増幅された受信電波を復調する復調部１２１６から構成している。
【００１６】
無線タグ７の要部構成を図４に示す。無線タグ７は、送受信可能なタグアンテナ７１とＬＳＩチップ７２とを基板に一体成形した独立の部品である。タグアンテナ７１は、矩形状に成形されたループコイル等からなる。ＬＳＩチップ７２は、タグアンテナ７１で受信した変調電波の整流と安定化を行なうことによりＬＳＩチップ７２の各部に電源を供給する電源生成部７２１、上記変調電波を復調して制御部７２４へ送出する復調部７２２、制御部７２４から送出されたデータを変調してタグアンテナ７１に送出する変調部７２３、復調部７２２で復調されたデータのメモリ７２５への書込みや、メモリ７２５から送信データを読み出して変調部７２３へ送出する制御部７２４及びメモリ７２５で構成している。メモリ７２５は、当該無線タグ７の製造段階で製造業者により割当て設定された固有の無線ＩＤ（ＲＦＩＤ）を記憶する無線ＩＤエリア７２５ａと、ユーザが任意のデータを書込むことができるユーザエリア７２５ｂとからなる。
【００１７】
図２に説明を戻す。メモリ１２２は、当該窓口端末１２が設けられている引受局１を特定するための局コードを記憶するエリアや、１から順に１ずつアップする連続番号を計数するカウンタのエリア等を形成している。時計部１２３は、現在の日付及び時刻を計時する。通信部１２４は、通信回線で接続された局内サーバ１１とデータ通信を行なう。操作・表示部１２５は、オペレータが各種情報を入力するのに供する。ラベルプリンタ１２６は、バーコードラベル８を印刷する。
【００１８】
コントローラ１２７は、操作・表示部１２５の操作入力により、書留郵便物６の配達地域を管理する配達局コードが入力されると、図５の流れ図に示す手順で各部を制御する。すなわちコントローラ１２７は、先ず、ＳＴ（ステップ）１として無線タグリーダ・ライタ１２１に対してＩＤ指定なしの無線ＩＤ問合せコマンドを送出する。すると、無線タグリーダ・ライタ１２１で無線ＩＤ問合せコマンドが変調され、アンテナＡＮＴから電波で発信される。
【００１９】
このとき、アンテナＡＮＴの無線通信領域内に位置しており、タグアンテナ７１で無線ＩＤ問合せコマンドの電波を受信した無線タグ７が存在すると、この無線タグ７では、電源生成部７２１から各部に電源が供給される。そして、復調部７２２で復調された無線ＩＤ問合せコマンドに応じて制御部７２４が作用して、メモリ７２５の無線タグエリア７２５ａから無線ＩＤが読み出され、この無線ＩＤが付加されたＡＣＫ応答として変調部７２３で無線送信に適した形態に変調された後、タグアンテナ７１から外部に電波で発信される。タグアンテナ７１から発信されたＡＣＫ応答の電波は、無線タグリーダ・ライタ１２１のアンテナＡＮＴで受信され、ＡＣＫ応答データとして無線タグリーダ・ライタ１２１を介してコントローラ１２７に送出される。
【００２０】
そこでコントローラ１２７は、無線ＩＤ問合せコマンドを送出後、ＳＴ２として無線タグ７からのＡＣＫ応答データを待機する。そして、ＡＣＫ応答データを受信したならば、ＳＴ３としてメモリ１２２のカウンタを“１”だけカウントアップし、そのカウント値に局コードを付加することにより、当該書留郵便物６を特定するための固有の引受番号を発番する。しかる後、コントローラ１２７は、ＳＴ４として無線タグリーダ・ライタ１２１に対してＡＣＫ応答データに付加された無線ＩＤを指定し、上記引受番号の書込みコマンドを送出する。すると、無線タグリーダ・ライタ１２１で引受番号書込みコマンドが変調され、無線ＩＤが指定された無線タグ７に対してアンテナＡＮＴから電波で発信される。
【００２１】
このとき、無線ＩＤが指定された無線タグ７がアンテナＡＮＴの無線通信領域内に位置していた場合には、当該無線タグ７では、復調部７２２で復調された引受番号書込みコマンドに応じて制御部７２４が作用して、メモリ７２５のユーザエリア７２５ｂに当該引受番号を書込む。
【００２２】
また、コントローラ１２７は、ＳＴ５としてラベルプリンタ１２６に対して当該引受番号と配達局コードのバーコードラベル発行を指令する。この指令を受けてラベルプリンタ１２６は、引受番号と配達局コードとをバーコードで示したバーコードシンボルをラベル用紙に印刷したバーコードラベル８を発行する。
【００２３】
その後、コントローラ１２７は、ＳＴ６として図８（ａ）に示すように、無線タグ７から取得した無線ＩＤと、当該書留郵便物６に対して設定された引受番号と、当該書留郵便物６の引受局コード及び配達局コードと、時計部１２３にて計時されている引受日時とからなる引受データを作成する。そして、この引受データを通信部１２４を介して局内サーバ１１に送信して、今回の制御を終了する。
【００２４】
因みに、局内サーバ１１は、ネットワーク５を介して上記引受データを管理用コンピュータ４１に送信する。管理用コンピュータ４１は、上記引受データを受信すると、そのデータの引受番号をキーとするレコードを書留データベース４２に作成する。そして、このレコードに上記引受データの無線ＩＤと引受情報（引受局コード，引受日時等）を登録するものとなっている。
【００２５】
さて、引受局１では、窓口担当者が差出人から書留郵便物６を引き受けると、先ず、固有の無線ＩＤを有する無線タグ７を当該郵便物６に貼り付ける。次に、操作・表示部１２５を操作して当該郵便物６の配達局コードを入力する。すると、窓口端末１２が動作して、当該郵便物６を特定する一意の引受番号が生成される。そこで窓口担当者は、当該郵便物６を窓口端末１２に設けられたアンテナＡＮＴの無線通信領域内にかざす。すると、当該郵便物６の引受番号が無線タグ７のメモリ７２５のユーザエリア７２５ｂに書込まれて記憶される。また、引受番号と配達局コードとをバーコード化したバーコードラベル８がラベルプリンタ１２６から印刷発行される。そこで窓口担当者は、このバーコードラベル８を当該郵便物６に貼り付けて、引受作業を完了する。
【００２６】
その後、引受局では、引き受けた全ての書留郵便物６について送達先別に仕分ける。そして、送達先毎に書留郵便物６をまとめて郵袋ケース９に収容するとともに、その仕分けデータを局内サーバ１１に登録する。すると、ＩＣカードリーダ・ライタ１３が動作して、郵袋ケース９毎にそのケース９に収容された書留郵便物６の総数（書留郵便総数）と各郵便物６毎の引受番号のリストとを郵袋データとして記録したＩＣカード９１が発行される。そこで、郵袋ケース９に対応するＩＣカード９１を付して配達局３に直接、又は中継局２を介して輸送する。
【００２７】
以上が引受局１の概略であり、次に中継局２と配達局３の概略について説明する。中継局２及び配達局３には、それぞれ前段の局から届けられた郵袋ケース９に収容されている書留郵便物６の査数・照合を、ケース９を開封することなく行なうことができる査数・照合端末２２，３２を設けている。なお、中継局２の査数・照合端末２２と配達局３の査数・照合端末３２とは同一構成なので、一方（中継局２の査数・照合端末２２）について説明し、他方（配達局３の査数・照合端末３２）の説明は省略する。
【００２８】
図６は査数・照合端末２２の要部構成を示すブロック図であり、無線タグリーダ・ライタ２２１、メモリ２２２，時計部２２３，通信部２２４，操作・表示部２２５，ＩＣカードリーダ２２６及びこれらを制御するコントローラ２２７を備えている。
【００２９】
無線タグリーダ・ライタ２２１は、アンテナＡＮＴの無線通信領域内にある無線タグ７に対してデータの書込みや読取りを行なうものであり、その要部構成は図３で説明したとおりである。なお、査数・照合端末２２の場合は、書込み機能を持たない無線タグリーダを採用してもよい。
【００３０】
メモリ２２２は、当該査数・照合端末２２が設けられている中継局２を特定するための局コード等を記憶するエリアや、１から順に１ずつアップする連続番号を計数するカウンタのエリア等を形成している。時計部２２３は、現在の日付及び時刻を計時する。通信部２２４は、通信回線で接続された局内サーバ２１とデータ通信を行なう。操作・表示部２２５は、オペレータが各種情報を入力するのに供する。ＩＣカードリーダ２２６は、郵袋ケース９に付されたＩＣカード９１の郵袋データを読取るものである。
【００３１】
コントローラ２２７は、操作・表示部２２５の操作入力により、書留郵便物６の査数・照合業務開始が指令されると、図７の流れ図に示す手順で各部を制御する。すなわちコントローラ２２７は、先ず、ＳＴ１１としてＩＣカードリーダ２２６を介してＩＣカード９１の郵袋データを取得する。次に、ＳＴ１２として当該ＩＣカード９１から読取った郵袋データの書留郵便総数Ａを記憶する。また、ＳＴ１３としてメモリ２２２のカウンタのカウント値Ｎを“０”に初期化する。
【００３２】
次に、コントローラ２２７は、ＳＴ１４として無線タグリーダ・ライタ２２１のアンテナＡＮＴの無線通信領域内にある無線タグ７の認識処理を開始する。具体的には、無線タグリーダ・ライタ２２１に対してＩＤ指定なしのユーザエリア問合せコマンドを送出する（読取指令手段）。すると、無線タグリーダ・ライタ２２１でユーザエリア問合せコマンドが変調され、アンテナＡＮＴから電波で発信される。
【００３３】
このとき、アンテナＡＮＴの無線通信領域内に位置しており、タグアンテナ７１でユーザエリア問合せコマンドの電波を受信した無線タグ７が存在すると、この無線タグ７では、電源生成部７２１から各部に電源が供給される。そして、復調部７２２で復調されたユーザエリア問合せコマンドに応じて制御部７２４が作用して、メモリ７２５からユーザエリア７２５ｂに書込まれているデータが読み出され、このデータが付加されたＡＣＫ応答として変調部７２３で無線送信に適した形態に変調された後、タグアンテナ７１から外部に電波で発信される。タグアンテナ７１から発信されたＡＣＫ応答の電波は、無線タグリーダ・ライタ２２１のアンテナＡＮＴで受信され、ＡＣＫ応答データとして無線タグリーダ・ライタ２２１を介してコントローラ２２７に送出される。
【００３４】
そこでコントローラ２２７は、ユーザエリア問合せコマンドを送出後、ＳＴ１５として無線タグ７からのＡＣＫ応答データを待機する。そして、ＡＣＫ応答データを受信したならば、ＳＴ１６として当該ＡＣＫ応答データに含まれるユーザエリア７２５ｂのデータを取得する（データ受信手段）。そして、ＳＴ１７としてこのユーザエリア７２５ｂのデータが今回の認識処理でまだ受信していない新規のデータか否かを判断する（データ判断手段）。その結果、メモリ２２２に既に記憶されており新規のデータでないと判断した場合には、そのデータを破棄する。
【００３５】
新規のデータであると判断した場合には、コントローラ２２７は、ＳＴ１８として当該データを無線タグ７が付された書留郵便物６の引受番号としてメモリ２２２に一時記憶する（コード取得手段）。しかる後、コントローラ２２７は、ＳＴ１９として今回取得した引受番号でＩＣカード９１から読取った郵袋データの引受番号リストを検索する。その結果、ＳＴ２０として引受番号リストの中に今回取得した引受番号が存在する場合には、ＳＴ２１としてカウンタのカウント値Ｎを“１”だけカウントアップする。引受番号リストの中に今回取得した引受番号が存在しない場合には、カウントアップしない。
【００３６】
コントローラ２２７は、無線タグ７からのＡＣＫ応答データを受信する毎に、上記ＳＴ１６〜ＳＴ２１の各処理を実行する。そして、ユーザエリア問合せコマンドの送信から一定時間が経過し、ＳＴ２２として無線タグ７の認識処理が終了すると、コントローラ２２７は、ＳＴ２３としてカウンタのカウント値Ｎが書留郵便総数Ａに一致しているか否かを判断する。その結果、一致している場合には、郵袋ケース９内に収容されている書留郵便物６の査数・照合が異常無しなので、ＳＴ２４として差数・照合の正常終了を報知する。例えば、操作・表示部２５に異常なしの表示を行なう。
【００３７】
これに対し、一致していない場合には、書留郵便物６が不足していたり、他の配達先への郵便物が混入していたりする場合が考えられるので、ＳＴ２５として異常終了を報知する。例えば、操作・表示部２５に異常有りの表示を行なう。このとき、引受番号リストには存在するが無線タグ７からの応答がなかった引受番号や、逆に引受番号リストには存在しないが無線タグ７からの応答があった引受番号を表示するとよい。
【００３８】
その後、コントローラ２２７は、ＳＴ２６として図８（ｂ）に示すように、自己の局コードと、時計部２２３から読取った到着日時と、無線タグ７から取得した全ての引受番号とから差数・照合データを作成し、この査数・照合データを通信部２２４を介して局内サーバ２１に送信して、今回の制御を終了する。
【００３９】
因みに、局内サーバ２１，３１は、ネットワーク５を介して上記査数・照合データを管理用コンピュータ４１に送信する。管理用コンピュータ４１は、中継局２の局内サーバ２１から上記査数・照合データを受信すると、書留データベース４２を検索し、そのデータの引受番号をキーとするレコードに中継情報（中継局コード，到着日時等）を登録する。また管理用コンピュータ４１は、配達局３の局内サーバ３１から上記査数・照合データを受信した場合には、書留データベース４２を検索し、そのデータの引受番号をキーとするレコードに配達情報（配達局コード，到着日時等）を登録する。
【００４０】
書留データベース４２に作成されるレコードの一例を図９に示す。図示するように、書留データベース４２には、引受番号をキーとして、その引受番号が設定された書留郵便物６の引受から配達までの各段階の局コードや日時等が記録される。したがって、書留データベース４２を参照することによって、書留郵便物６を個々に追跡調査することができる。
【００４１】
さて、中継局２及び配達局３では、前段の局から書留郵便物６の郵袋ケース９が届けられると、局員は、その郵袋ケース９を開封することなく、査数・照合端末２２（３３）のアンテナＡＮＴの無線通信領域内に置く。そして、査数・照合端末２２（３３）の操作・表示部２２５を操作して書留郵便物６の査数・照合業務開始を指令し、当該郵袋ケース９に付されたＩＣカード９１の郵袋データをＩＣカードリーダ２２６で読取らせる。すると、無線タグリーダ・ライタ２２１を介して無線通信領域内に存在する無線タグ７に対してＩＤ指定なしのユーザエリア問合せコマンドが送信される。これにより、郵袋ケース９に収容されている各書留郵便物６にそれぞれ貼付されている無線タグ７からメモリ７２５のユーザエリア７２５ｂに書込まれているデータ、つまりは当該無線タグ７が貼付されている書留郵便物６の引受番号が重複することなくほぼ一斉に取得される。かくして、郵袋ケース９に収容されている書留郵便物６の査数・照合処理が自動的に実施される。
【００４２】
本実施の形態において、無線タグリーダ・ライタ２２６の無線通信領域内に存在する無線タグ７群のユーザエリアに書込まれているデータ（引受番号）を取得する際の通信手順を図１０に示す。また、参考までに、同様な事象に対する従来の通信手順を図１１に示す。
【００４３】
図１１に示すように、従来は、無線タグリーダ・ライタ２２６から無線通信領域内に存在する全ての無線タグに対して無線ＩＤ問合せコマンドを送信し、このコマンドに対して応答された無線ＩＤから無線タグを識別する。そして、この識別した無線タグに対して個別にユーザエリア問合せコマンドを送信して、当該無線タグのユーザエリアのデータ（引受番号）を取得していた。
【００４４】
これに対して、本実施の形態においては、図１０に示すように、無線タグリーダ・ライタ２２６から無線通信領域内に存在する全ての無線タグ７に対してユーザエリア問合せコマンドを送信し、このコマンドに対して応答されたデータから無線タグ７を識別し、同時にそのデータを引受番号として取得している。したがって、従来と比較して通信手順が簡略されるので、無線通信領域内にある全ての無線タグ７に書込まれた引受番号を取得し終わるまでに要する処理時間を短縮できる。この効果は、無線タグ７の数が多ければ多いほど、つまりは無線タグ７が貼付される物品（書留郵便物６）の数が多いほど顕著である。
【００４５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素からいくつかの構成要素を削除してもよい。更に、異なる実施形態にわたる構成要素を適宜組み合わせてもよい。
【００４６】
例えば前記一実施の形態では、郵袋ケース９に収容された書留郵便物６の査数・照合を行なう査数・照合端末２２，３２に本発明の物品管理用コード取得装置としての機能を適用したが、この機能は、無線タグ，無線カード等の無線データキャリアとの無線通信により、当該無線データキャリアが添付された記録扱い郵便物等の物品の管理用コードを取得する装置であれば適用できるものである。
【００４７】
また、無線データキャリアが添付される物品も書留郵便物等の記録扱い郵便物に限定されるものではなく、当該物品を特定するための一意の管理用コードが設定される物品であれば適用できるものである。
【００４８】
【発明の効果】
以上詳述したように本発明によれば、複数の物品にそれぞれ添付された無線データキャリアに書込まれた物品管理用コードを短時間で取得できる物品管理用コード取得装置及びその方法、並びにこの物品管理用コード取得技術に供する無線データキャリアを提供できる。
【図面の簡単な説明】
【図１】本発明の一実施の形態である書留郵便物管理システムの全体構成を示す模式図。
【図２】同実施の形態における窓口端末の要部構成を示すブロック図。
【図３】同実施の形態における無線タグリーダ・ライタの要部構成を示すブロック図。
【図４】同実施の形態における無線タグの要部構成を示すブロック図。
【図５】同実施の形態における窓口端末のコントローラが実行する主要な制御手順を示す流れ図。
【図６】同実施の形態における査数・照合端末の要部構成を示すブロック図。
【図７】同実施の形態における査数・照合端末のコントローラが実行する主要な制御手順を示す流れ図。
【図８】同実施の形態においてネットワーク上を送受信される主要なデータ伝文の一フォーマット例を示す模式図。
【図９】同実施の形態において管理用コンピュータが管理する書留データベースに保存されるレコードの一フォーマット例を示す模式図。
【図１０】同実施の形態において無線タグリーダ・ライタが各無線タグから引受番号を取得するのに要する通信手順を示す模式図。
【図１１】従来例において無線タグリーダ・ライタが各無線タグから引受番号を取得するのに要する通信手順を示す模式図。
【符号の説明】
１…引受局、２…中継局、３…配達局、４…情報センタ、６…書留郵便物（物品）、７…無線タグ（無線データキャリア）、９…郵袋ケース、１１，２１，３１…局内サーバ、１２…窓口端末、１３…ＩＣカードリーダ・ライタ、２２，３２…差数・照合端末、４１…管理用コンピュータ。
【図１】
2004280707.tif 000003
【図２】
2004280707.tif 000004
【図３】
2004280707.tif 000005
【図４】
2004280707.tif 000006
【図５】
2004280707.tif 000007
【図６】
2004280707.tif 000008
【図７】
2004280707.tif 000009
【図８】
2004280707.tif 000010
【図９】
2004280707.tif 000011
【図１０】
2004280707.tif 000012
【図１１】
2004280707.tif 000013